(57)【要約】  アーチェリー発射体位置特定設備は、細長い胴体を備える。細長い胴体は、アーチェリー発射体に接続するように適合された接続設備を含む。細長い胴体はマイクロコントローラを含む。細長い胴体は、マイクロコントローラと通信し、飛行状態を検出するように動作可能なセンサ設備を含む。細長い胴体は、マイクロコントローラと通信し、飛行状態が検出された後に少なくとも１つのデータ信号をブロードキャストするように動作可能な送信機を含む。少なくとも１つのデータ信号は、センサ設備によって生成された情報を含む。
2021512273.tif 000002
【特許請求の範囲】
【請求項１】
細長い胴体を備える、アーチェリー発射体位置特定設備であって、
前記細長い胴体が、前記アーチェリー発射体に接続するように適合された接続設備を含み、
前記細長い胴体が、マイクロコントローラを含み、
前記細長い胴体が、前記マイクロコントローラと通信し、飛行状態を検出するように動作可能なセンサ設備を含み、
前記細長い胴体が、前記マイクロコントローラと通信し、前記飛行状態が検出された後に少なくとも１つのデータ信号をブロードキャストするように動作可能な送信機を含み、前記少なくとも１つのデータ信号が、前記センサ設備によって生成された情報を含む、
位置特定設備。
【請求項２】
前記細長い胴体が指向性受信機でユーザによって位置特定され得るように、前記少なくとも１つのデータ信号を受信するように適合された前記指向性受信機を含む、請求項１に記載の位置特定設備。
【請求項３】
前記細長い胴体が、空洞矢柄の後開口に取り外し可能に収容される、請求項１に記載の位置特定設備。
【請求項４】
前記細長い胴体に接続され、径方向突起を有する停止要素を含む、請求項３に記載の位置特定設備。
【請求項５】
前記停止要素が、空洞矢柄の後端につながるように適合された円筒形胴体を含み、前記空洞矢柄に取り外し可能に接続された矢筈の一部分を収容するように適合されたボアを画定する、請求項４に記載の位置特定設備。
【請求項６】
前記空洞矢柄が軸半径を有し、前記径方向突起が、前記軸半径よりも大きい半径まで延在し、その結果、前記空洞矢柄が標的動物の向こう側に貫通することができたときでも、前記細長い胴体が向こう側に貫通するのを防ぐために、前記径方向突起が標的動物の組織に接するように適合される、請求項４または５に記載の位置特定設備。
【請求項７】
前記空洞矢柄が矢羽根を有し、前記停止要素が、前記空洞矢柄の後端につながれたときに前記矢羽根と実質的に整列するように適合された複数の径方向突起を有する、請求項６に記載の位置特定設備。
【請求項８】
前記径方向突起が、前記細長い胴体によって画定された軸に平行な平面を有する平面フィン要素である、請求項６に記載の位置特定設備。
【請求項９】
前記停止要素が、テザーによって前記細長い胴体に接続される、請求項４または５に記載の位置特定設備。
【請求項１０】
テザーによって前記細長い胴体に接続された矢筈を含む、請求項４または５に記載の位置特定設備。
【請求項１１】
前記送信機と電気通信するアンテナを含む、請求項１または２に記載の位置特定設備。
【請求項１２】
前記アンテナが、一端で前記細長い胴体に接続された細長いワイヤである、請求項１１に記載の位置特定設備。
【請求項１３】
前記アンテナが、前記細長い胴体に接続されていない自由端を有する、請求項１２に記載の位置特定設備。
【請求項１４】
前記センサ設備が、前記細長い胴体に関する温度情報を生成するように適合された温度センサを含む、請求項１または２に記載の位置特定設備。
【請求項１５】
前記送信機が、前記少なくとも１つのデータ信号の一部として前記温度情報を送信するように適合される、請求項１４に記載の位置特定設備。
【請求項１６】
前記マイクロコントローラおよび前記センサ設備と電気通信するエネルギー蓄積装置を含み、前記センサ設備が、エネルギーステータス情報を生成するように動作可能である、請求項１または２に記載の位置特定設備。
【請求項１７】
前記送信機が、前記少なくとも１つのデータ信号の一部として前記エネルギーステータス情報を送信するように適合される、請求項１６に記載の位置特定設備。
【請求項１８】
前記センサ設備が、運動情報を生成するように適合された加速度センサを含む、請求項１または２に記載の位置特定設備。
【請求項１９】
前記送信機が、前記少なくとも１つのデータ信号の一部として前記運動情報を送信するように適合される、請求項１８に記載の位置特定設備。
【請求項２０】
前記細長い胴体が限られた力で前記空洞矢柄から取り外し可能であるように、前記細長い胴体が前記空洞矢柄にスライド式に収容される、請求項３または４に記載の位置特定設備。
【請求項２１】
前記停止要素が、滑合によって前記空洞矢柄に接続される、請求項４または５に記載の位置特定設備。
【請求項２２】
前記細長い胴体が信号指定子を含む、請求項１に記載の位置特定設備。
【請求項２３】
前記少なくとも１つのデータ信号が、前記信号指定子に基づいて暗号化される、請求項２２に記載の位置特定設備。
【請求項２４】
指向性受信機が、前記信号指定子の利用を通して前記少なくとも１つのデータ信号を解読するようにさらに適合される、請求項２３に記載の位置特定設備。
【請求項２５】
前記指向性受信機が、以下の
位置情報、
方向情報、
温度情報、
エネルギーステータス情報、および
運動情報
のうちの少なくとも１つをリモートコンピューティングデバイスに通信するようにさらに適合される、請求項２に記載の位置特定設備。
【請求項２６】
前記少なくとも１つのデータ信号の各々が、送信電力レベルに基づいて符号化される、請求項１に記載の位置特定設備。
【請求項２７】
指向性受信機が、前記少なくとも１つのデータ信号を復号するようにさらに適合される、請求項２６に記載の位置特定設備。
【請求項２８】
前記少なくとも１つのデータ信号のうちの第１が第１の電力レベルで送信され、前記少なくとも１つのデータ信号のうちの第２が第２の電力レベルで送信され、前記第１の電力レベルが前記第２の電力レベルとは異なる、請求項１に記載の位置特定設備。
【請求項２９】
前記少なくとも１つのデータ信号のうちの前記第１が第１の信号コードで符号化され、前記少なくとも１つのデータ信号のうちの前記第２が第２の信号コードで符号化され、前記第１の信号コードが前記第２の信号コードとは異なる、請求項２８に記載の位置特定設備。
【発明の詳細な説明】
【技術分野】
【０００１】
関連出願の相互参照
本出願は、参照によりそれらの全体が本明細書に組み込まれる、２０１８年１月２４日に出願された米国仮出願第６２／６２１，０８９号、および２０１８年１１月２１日に出願された米国出願第１６／１９８，５０８号の利益を主張する。
【０００２】
本開示は、一般に、アーチェリー発射体に関する。より詳細には、本開示は、飛行が開始された後のアーチェリー発射体の位置を特定することに関する。
【背景技術】
【０００３】
多くのアーチェリー発射体は飛行後に失われ、回収されない。たとえば、狙った標的を外したアーチェリー発射体は、森林、低木、および／または草地で失われる可能性がある。
【０００４】
多くの狩猟動物は、アーチェリー発射体を使用するハンターによって標的にされる。これらの狩猟動物の多くは、アーチェリー発射体によって激突された後に負傷している。しかしながら、負傷した狩猟動物の一部は、ハンターによって回収されない場合がある。多くの既存のアーチェリー発射体追跡システムは、発射体が完全に動物を貫通するか、または動物の運動によって損傷を受けると、負傷した動物の追跡を支援するように適合可能でない場合がある。
【０００５】
アーチェリー発射体追跡システムに関する多くの既存の開示は、位置特定のための全地球測位システム（ＧＰＳ）の目的の用途に基づく。しかしながら、多くのＧＰＳ受信機は空洞の矢柄に挿入するには大き過ぎる。加えて、ＧＰＳ受信機と一緒に配置された送信機は、信号送信が地形および／または密集した植生によってブロックされたとき、ＧＰＳベースの位置情報を転送するためにリモート受信機との接続を確立することができない場合がある。多くの既存のアーチェリー発射体追跡システムは、無線信号を発信するように構成される。しかしながら、単一の電力レベルで発信される無線信号は、指向性受信機の有効範囲を制限する可能性がある。たとえば、高出力信号を送信するエミッタは、指向性受信機のフロントエンドに過負荷をかける可能性があり、エミッタまでの距離が短い距離のときにエミッタの方向の決定を妨げる。たとえば、低出力信号を送信するエミッタは、指向性受信機のフロントエンドによって検出されない可能性があり、エミッタまでの距離が長い距離のときにエミッタの方向の決定を妨げる。多くの既存のアーチェリー発射体追跡システムは、アナログ信号を発信するように構成される。単一のハンティングゾーン内で複数のアナログ信号を送信すると、１つまたは複数の受信機のユーザに混乱が生じる可能性がある。
【０００６】
多くの既存のアーチェリー発射体追跡システムは、複数のサードパーティ製矢柄および／または複数のサードパーティ製ブロードヘッドに簡単に適合されない場合がある。
多くの既存のアーチェリー発射体追跡システムを利用すると、特に多くの狩猟状況で必要とされる範囲にわたって、飛行中のアーチェリー発射体の軌道および／または運動エネルギーに悪影響を及ぼす可能性がある。多くの既存のアーチェリー発射体追跡システムを利用すると、標的の狩猟動物への侵入深度に悪影響を及ぼす可能性がある。
【発明の概要】
【発明が解決しようとする課題】
【０００７】
必要なのは、改良されたアーチェリー発射体位置特定設備である。
【課題を解決するための手段】
【０００８】
本開示の少なくともいくつかの実施形態は、アーチェリー発射体位置特定設備を提供する。アーチェリー発射体位置特定設備は、細長い胴体を備える。細長い胴体は、アーチェリー発射体に接続するように適合された接続設備を含む。細長い胴体はマイクロコントローラを含む。細長い胴体は、マイクロコントローラと通信し、飛行状態を検出するように動作可能なセンサ設備を含む。細長い胴体は、マイクロコントローラと通信し、飛行状態が検出された後に少なくとも１つのデータ信号をブロードキャストするように動作可能な送信機を含む。少なくとも１つのデータ信号は、センサ設備によって生成された情報を含む。
【０００９】
アーチェリー発射体位置特定設備は、指向性受信機を含んでよい。指向性受信機は、細長い胴体が指向性受信機でユーザによって位置特定され得るように、少なくとも１つのデータ信号を受信するように適合されてよい。
【００１０】
細長い胴体は、空洞矢柄の後開口に取り外し可能に収容されてよい。
【００１１】
アーチェリー発射体位置特定設備は、細長い胴体に接続され、径方向突起を有する停止要素を含んでよい。
【００１２】
停止要素は、空洞矢柄の後端につながるように適合された円筒形胴体を含んでよい。停止要素は、空洞矢柄に取り外し可能に接続された矢筈の一部分を収容するように適合されたボアを画定することができる。
【００１３】
空洞矢柄は軸半径を有してよい。径方向突起は、軸半径よりも大きい半径まで延在することができ、その結果、径方向突起は、空洞矢柄が標的動物の向こう側に貫通することができたときでも、細長い胴体が向こう側に貫通するのを防ぐために、標的動物の組織に接するように適合される。
【００１４】
空洞矢柄は矢羽根を有してよい。停止要素は、空洞矢柄の後端につながれたときに実質的に矢羽根と整列するように適合された複数の径方向突起を有してよい。
【００１５】
径方向突起は、細長い胴体によって画定された軸に平行な平面を有する平面フィン要素であってよい。
【００１６】
停止要素は、テザーによって細長い胴体に接続されてよい。
【００１７】
アーチェリー発射体位置特定設備は、テザーによって細長い胴体に接続された矢筈を含んでよい。
【００１８】
アーチェリー発射体位置特定設備は、送信機と電気通信するアンテナを含んでよい。
【００１９】
アンテナは、一端で細長い胴体に接続された細長いワイヤであってよい。
【００２０】
アンテナは、細長い胴体に接続されていない自由端を有してよい。
【００２１】
センサ設備は、細長い胴体に関する温度情報を生成するように適合された温度センサを含んでよい。
【００２２】
送信機は、少なくとも１つのデータ信号の一部として温度情報を送信するように適合されてよい。
【００２３】
アーチェリー発射体位置特定設備は、マイクロコントローラおよびセンサ設備と電気通信するエネルギー蓄積装置を含んでよい。センサ設備は、エネルギーステータス情報を生成するように動作可能であってよい。
【００２４】
送信機は、少なくとも１つのデータ信号の一部としてエネルギーステータス情報を送信するように適合されてよい。
【００２５】
センサ設備は、運動情報を生成するように適合された加速度センサを含んでよい。
【００２６】
送信機は、少なくとも１つのデータ信号の一部として運動情報を送信するように適合されてよい。
【００２７】
細長い胴体は、細長い胴体が限られた力で空洞矢柄から取り外し可能であるように、空洞矢柄にスライド式に収容されてよい。
【００２８】
停止要素は、滑合によって空洞矢柄に接続されてよい。
【００２９】
細長い胴体は信号指定子を含んでよい。
【００３０】
少なくとも１つのデータ信号は、信号指定子に基づいて暗号化されてよい。
【００３１】
指向性受信機は、信号指定子の利用を通して少なくとも１つのデータ信号を解読するようにさらに適合されてよい。
【００３２】
指向性受信機は、以下の位置情報、方向情報、温度情報、エネルギーステータス情報、および運動情報のうちの少なくとも１つをリモートコンピューティングデバイスに通信するようにさらに適合されてよい。
【００３３】
少なくとも１つのデータ信号の各々は、送信電力レベルに基づいて符号化されてよい。
【００３４】
指向性受信機は、少なくとも１つのデータ信号を復号するようにさらに適合されてよい。
【００３５】
少なくとも１つのデータ信号のうちの第１は第１の電力レベルで送信されてよく、少なくとも１つのデータ信号のうちの第２は第２の電力レベルで送信されてよい。第１の電力レベルは第２の電力レベルとは異なる場合がある。
【００３６】
少なくとも１つのデータ信号のうちの第１は、第１の信号コードで符号化されてよい。少なくとも１つのデータ信号のうちの第２は、第２の信号コードで符号化されてよい。第１の信号コードは第２の信号コードとは異なる場合がある。
【図面の簡単な説明】
【００３７】
【図１】一実施形態の様々な態様による、オプションの複合弓およびオプションのアーチェリー発射体を有する例示的なアーチェリー発射体位置特定設備を示す図である。
【図２】一実施形態の様々な態様による、例示的なアーチェリー発射体位置特定設備が取り付けられた例示的なアーチェリー発射体を示す図である。
【図３】一実施形態の一態様による、オプションの例示的な空洞矢柄を有する例示的なアーチェリー発射体位置特定設備を示す図である。
【図４】一実施形態の一態様による、オプションの例示的な空洞矢柄を有する例示的なアーチェリー発射体位置特定設備を示す図である。
【図５】一実施形態の一態様による、オプションの例示的な空洞矢柄に取り付けられた例示的なアーチェリー発射体位置特定設備を示す図である。
【図６】一実施形態の一態様による、オプションの例示的な空洞矢柄を有する例示的なアーチェリー発射体位置特定設備を示す図である。
【図７】一実施形態の一態様による、オプションの例示的な空洞矢柄に挿入するために部分的に組み立てられた例示的なアーチェリー発射体位置特定設備を示す図である。
【図８】一実施形態の一態様による、オプションの例示的な空洞矢柄に部分的に取り付けられた例示的なアーチェリー発射体位置特定設備を示す図である。
【図９】一実施形態の一態様による、例示的な停止要素を示す図である。
【図１０】一実施形態の一態様による、標的動物の腔を通過する、例示的なアーチェリー発射体位置特定設備を有する例示的なアーチェリー発射体を示す図である。
【図１１】一実施形態の一態様による、標的動物の腔の向こう側に貫通する例示的なアーチェリー発射体、およびアーチェリー発射体から切り離された例示的なアーチェリー発射体位置特定設備を示す図である。
【図１２】一実施形態の一態様による、標的動物の腔に埋め込まれた例示的なアーチェリー発射体位置特定設備を示す図である。
【図１３】一実施形態の一態様による、例示的なアーチェリー発射体位置特定設備を示すブロック図である。
【図１４】一実施形態の一態様による、アーチェリー発射体位置特定設備の例示的なデータフレームを示すブロック図である。
【図１５】一実施形態の一態様による、例示的なアーチェリー発射体位置特定設備の例示的な細長い胴体を概略的に示す図である。
【図１６】一実施形態の一態様による、例示的なアーチェリー発射体位置特定設備の例示的な細長い胴体についての状態図である。
【図１７】一実施形態の一態様による、例示的なアーチェリー発射体位置特定設備の例示的な指向性受信機を示す図である。
【図１８】一実施形態の様々な態様による、アーチェリー発射体位置特定設備の例示的な指向性受信機システムを示すブロック図である。
【図１９】一実施形態の様々な態様による、アーチェリー発射体位置特定設備の例示的な指向性受信機システムを示すブロック図である。
【図２０】一実施形態の一態様による、指向性受信機の例示的なデータフレームを示すブロック図である。
【図２１】一実施形態の一態様による、例示的なアーチェリー発射体位置特定設備の例示的な指向性受信機についての状態図である。
【発明を実施するための形態】
【００３８】
次に、本開示の実施形態が示される添付図面を参照して、本開示の実施形態が以下でより完全に記載される。しかしながら、この本開示は、多くの異なる形態で具現化されてよく、本明細書に記載された実施形態に限定されると解釈されるべきではなく、むしろ、これらの実施形態は、本開示が完璧かつ完全であり、本開示の範囲を完全に伝達するように提供される。
【００３９】
本開示の特定の実施形態は、アーチェリー発射体位置特定設備を提供する。本開示の目的のために、アーチェリー発射体は、矢およびボルトを含んでよいが、それらに限定されない。
【００４０】
本開示の少なくともいくつかの実施形態は、ハンターが負傷した動物を追跡する効率を高めるために負傷した動物に関する具体的な情報を提供する。
具体的な情報を利用すると、負傷した動物を見つけることに成功する可能性が高くなり得る。この具体的な情報の例には、動物の位置、動物が動いているか否か、動物の体温、それらの組合せなどが含まれるが、それらに限定されない。動物の位置または動物の位置への方向に関するデータは、探索する方向を決定するためにハンターによって利用されてよい。動物の運動に関する正確なデータは、探索を開始するときを決定するためにハンターによって利用されてよい。動物の体温に関する正確なデータは、探索を開始するときを決定し、かつ／または動物が近づいても安全かどうかを判定するためにハンターによって利用されてよい。
【００４１】
図１は、一実施形態の様々な態様による、オプションの複合弓２およびオプションのアーチェリー発射体を有する例示的なアーチェリー発射体位置特定設備１００を示す。アーチェリー発射体位置特定設備１００は、停止要素６および矢筈８を備えてよい。アーチェリー発射体は、空洞矢柄４および矢先またはブロードヘッドを備えてよい。アーチェリー発射体位置特定設備１００は、指向性受信機３０を備えてよい。指向性受信機３０は、指向性アンテナ３２と電気通信することができる。指向性受信機３０は、指向性アンテナ３２とワイヤレス通信することができる。複合弓２は、例示目的で示されたものなどのアーチェリー発射体を発射するように構成されてよい。
【００４２】
図２は、一実施形態の様々な態様による、例示的なアーチェリー発射体位置特定設備が取り付けられた例示的なアーチェリー発射体２００を示す。アーチェリー発射体２００は、空洞シャフト４およびブロードヘッド１０を備えてよい。アーチェリー発射体位置特定設備は、停止要素６および矢筈８を備えてよい。
【００４３】
図３は、一実施形態の一態様による、オプションの例示的な空洞矢柄４を有する例示的なアーチェリー発射体位置特定設備３００を示す。アーチェリー発射体位置特定設備３００は、細長い胴体２０を備えてよい。細長い胴体２０は、空洞矢柄４の後開口に取り外し可能に収容されてよい。アーチェリー発射体位置特定設備３００は、停止要素６を含んでよい。停止要素６は径方向突起を有してよい。停止要素６は、滑合によって空洞矢柄４に接続されてよい。アーチェリー発射体位置特定設備３００は、テザー１６によって細長い胴体２０に接続された矢筈８を含んでよい。アーチェリー発射体位置特定設備３００は、細長い胴体２０に接続されたエネルギー蓄積装置１４を含んでよい。エネルギー蓄積装置１４および／または細長い胴体２０は、耐水性材料（たとえば、樹脂）でコーティングされてよい。アーチェリー発射体位置特定設備３００は、アンテナ１２を含んでよい。アンテナ１２は、一端で細長い胴体２０に接続された細長いワイヤを備えてよい。細長い胴体２０は、発光ダイオード（ＬＥＤ）１８を備えてよい。ＬＥＤは、飛行状態の検出および／または衝突の検出時に作動されてよい。
【００４４】
一実施形態によれば、細長い胴体（たとえば、２０）の幅は４．５ｍｍ未満であってよい。細長い胴体（たとえば、２０）の長さは１２０ｍｍ未満であってよい。細長い胴体（たとえば、２０）の重量は４０グレイン未満であってよい。
【００４５】
図４は、一実施形態の一態様による、オプションの例示的な空洞矢柄４を有する例示的なアーチェリー発射体位置特定設備４００を示す。アーチェリー発射体位置特定設備４００は、細長い胴体２０を備えてよい。細長い胴体２０は、空洞矢柄４の後開口に取り外し可能に収容されてよい。空洞矢柄４は矢羽根２４を備えてよい。アーチェリー発射体位置特定設備４００は、停止要素６を含んでよい。停止要素６は径方向突起を有してよい。アーチェリー発射体位置特定設備４００は、テザー１６によって細長い胴体２０に接続された矢筈８を含んでよい。アーチェリー発射体位置特定設備４００は、アンテナ１２を含んでよい。アンテナ１２は、一端で細長い胴体２０に接続された細長いワイヤを備えてよい。アンテナ１２は、細長い胴体２０に接続されていない自由端を有してよい。細長い胴体２０は信号指定子２８を含んでよい。信号指定子２８は、様々な方法で提示または通信されてよい。例には、バーコード、（図示された）クイックリファレンス（ＱＲ）コード、英数字コード、無線周波数識別（ＲＦＩＤ）タグ、近距離無線通信（ＮＦＣ）デバイス、それらの組合せなどが含まれるが、それらに限定されない。複数の細長い胴体（たとえば、２０）の各々が互いに区別され得るように、複数の細長い胴体（たとえば、２０）の各々に対して異なる信号指定子２８が含まれてよい。
【００４６】
図５は、一実施形態の一態様による、オプションの例示的な空洞矢柄４に取り付けられた例示的なアーチェリー発射体位置特定設備５００を示す。空洞矢柄４は矢羽根２４を備えてよい。アーチェリー発射体位置特定設備５００は、停止要素６を含んでよい。停止要素６は径方向突起を有してよい。停止要素６は円筒形胴体を含んでよい。停止要素６は、空洞矢柄４の後端につながるように適合されてよい。円筒形胴体は、空洞矢柄４に取り外し可能に接続された矢筈８の一部分を収容するように適合されたボアを画定することができる。停止要素６は複数の径方向突起を備えてよい。複数の径方向突起は、図示されたように空洞矢柄４の後端につながれたときに実質的に矢羽根２４と整列するように適合されてよい。複数の径方向突起は、矢羽根２４よりも低い断面を有してよい。
【００４７】
図６は、一実施形態の一態様による、オプションの例示的な空洞矢柄４を有する例示的なアーチェリー発射体位置特定設備６００を示す。アーチェリー発射体位置特定設備６００は、細長い胴体２０を備えてよい。細長い胴体２０は、空洞矢柄４の後開口に取り外し可能に収容されてよい。細長い胴体２０は、アーチェリー発射体に接続するように適合された接続設備を含んでよい。アーチェリー発射体は空洞矢柄４を含んでよい。接続設備は、細長い胴体２０の少なくとも１つの寸法を備えてよい。接続設備は保持ボタン２２を備えてよい。保持ボタン２２は圧縮可能であってよい。保持ボタン２２はＯリングを備えてよい。保持ボタン２２はゴム製ガスケットを備えてよい。接続設備は、空洞矢柄４内に細長い胴体２０を保持するように適合されてよい。接続設備は、複数の後開口内径を有する複数の空洞矢柄内に細長い胴体２０を保持するように適合されてよい。細長い胴体２０は、細長い胴体２０が限られた力で空洞矢柄４から取り外し可能であるように、空洞矢柄４にスライド式に収容されてよい。空洞矢柄４は矢羽根２４を備えてよい。アーチェリー発射体位置特定設備６００は、矢筈８を含んでよい。矢筈８は、テザー１６によって細長い胴体２０に接続されてよい。テザー１６は、細長い胴体２０の中央またはその近くに接続されてよい。
細長い胴体２０の中央またはその近くにテザー１６を接続すると、標的狩猟動物から細長い胴体２０が時期尚早に取り外される可能性が低減する場合がある。アーチェリー発射体位置特定設備６００は、アンテナ１２を含んでよい。アンテナ１２は、一端で細長い胴体２０に接続された細長いワイヤを備えてよい。アンテナ１２は、細長い胴体２０に接続されていない自由端を有してよい。アーチェリー発射体位置特定設備６００は、停止要素６を含んでよい。停止要素６は径方向突起を有してよい。停止要素６は、テザー１６によって細長い胴体に接続されてよい。あるいは、停止要素６は、図示されたように、アンテナ１２、細長い胴体２０、およびテザー１６の上に取り付けられるように適合されたボアを備えてよい。
【００４８】
図７は、一実施形態の一態様による、オプションの例示的な空洞矢柄４に挿入するために部分的に組み立てられた例示的なアーチェリー発射体位置特定設備７００を示す。アーチェリー発射体位置特定設備７００は、細長い胴体２０を備えてよい。細長い胴体２０は、空洞矢柄４の後開口に取り外し可能に収容されてよい。細長い胴体２０は、アーチェリー発射体に接続するように適合された接続設備を含んでよい。接続設備は保持ボタン２２を備えてよい。アーチェリー発射体は空洞矢柄４を含んでよい。空洞矢柄４は矢羽根２４を備えてよい。アーチェリー発射体位置特定設備７００は、テザー１６によって細長い胴体２０に接続された矢筈８を含んでよい。アーチェリー発射体位置特定設備７００は、停止要素６を含んでよい。停止要素６は、滑合によって矢筈８に接続されてよい。アーチェリー発射体位置特定設備７００は、アンテナ１２を含んでよい。アンテナ１２は、一端で細長い胴体２０に接続された細長いワイヤを備えてよい。アンテナ１２は、細長い胴体２０に接続されていない自由端を有してよい。
【００４９】
図８は、一実施形態の一態様による、オプションの例示的な空洞矢柄４に部分的に取り付けられた例示的なアーチェリー発射体位置特定設備８００を示す。
アーチェリー発射体位置特定設備８００は、細長い胴体２０を備えてよい。細長い胴体２０は、空洞矢柄４の後開口５に取り外し可能に収容されてよい。細長い胴体２０は、アーチェリー発射体に接続するように適合された接続設備を含んでよい。接続設備は保持ボタン２２を備えてよい。アーチェリー発射体は空洞矢柄４を含んでよい。アーチェリー発射体位置特定設備８００は、テザー１６によって細長い胴体２０に接続された矢筈８を含んでよい。矢筈８は矢柄合わせ面９を備えてよい。矢柄合わせ面９は、空洞矢柄４の後開口５に取り外し可能に収容されるように適合されてよい。矢柄合わせ面９は、滑合によって空洞矢柄４に接続されてよい。アーチェリー発射体位置特定設備７００は、停止要素６を含んでよい。停止要素６は、矢柄合わせ面９を収容するように適合されたボアを画定することができる。停止要素６は、滑合によって矢筈８の矢柄合わせ面９に接続するように適合されてよい。停止要素６は径方向突起２６を備えてよい。径方向突起２６は、細長い胴体２０によって画定された軸に平行な平面を有する平面フィン要素を備えてよい。
【００５０】
図９は、一実施形態の一態様による、例示的な停止要素９００を示す。
停止要素９００は円筒形胴体２８を含んでよい。円筒形胴体２８は、矢筈の一部分を収容するように適合されたボア７を画定することができる。停止要素９００は複数の径方向突起２６を備えてよい。
【００５１】
図１０は、一実施形態の一態様による、標的動物の腔４０を通過する、例示的なアーチェリー発射体位置特定設備を有する例示的なアーチェリー発射体を示す。アーチェリー発射体は空洞矢柄４を含んでよい。空洞矢柄４は軸半径を有してよい。アーチェリー発射体位置特定設備は、細長い胴体２０を備えてよい。アーチェリー発射体位置特定設備は、矢筈８を含んでよい。矢筈８は、テザー１６によって細長い胴体２０に接続されてよい。アーチェリー発射体位置特定設備は、停止要素６を含んでよい。停止要素６は径方向突起を有してよい。径方向突起は、軸半径よりも大きい半径まで延在することができ、その結果、径方向突起は、標的動物の組織（たとえば、腔４０の入口側皮膚４１）に接し、アーチェリー発射体が標的動物（たとえば、腔４０の出口側皮膚４３）の向こう側に貫通した場合でも、腔４０への停止要素６および矢筈８の完全な貫通を防止するように適合される。
【００５２】
図１１は、一実施形態の一態様による、標的動物の腔４０の向こう側に貫通する例示的なアーチェリー発射体、およびアーチェリー発射体から切り離された例示的なアーチェリー発射体位置特定設備を示す。アーチェリー発射体は空洞矢柄４を含んでよい。空洞矢柄４は軸半径を有してよい。アーチェリー発射体位置特定設備は、細長い胴体２０を備えてよい。アーチェリー発射体位置特定設備は、アンテナ１２を含んでよい。アンテナ１２は、一端で細長い胴体２０に接続された細長いワイヤを備えてよい。アーチェリー発射体位置特定設備は、矢筈８を含んでよい。矢筈８は、テザー１６によって細長い胴体２０に接続されてよい。アーチェリー発射体位置特定設備は、停止要素６を含んでよい。停止要素６は径方向突起を有してよい。径方向突起は、軸半径よりも大きい半径まで延在することができ、その結果、径方向突起は、標的動物の組織（たとえば、腔４０の入口側皮膚４１）に接し、アーチェリー発射体が標的動物（たとえば、腔４０の出口側皮膚４３）の向こう側に貫通することができたときでも、細長い胴体２０が標的動物（たとえば、腔４０の出口側皮膚４３）の向こう側に貫通することを防止するように適合される。
【００５３】
図１２は、一実施形態の一態様による、標的動物の腔４０に埋め込まれた例示的なアーチェリー発射体位置特定設備を示す。アーチェリー発射体が標的動物の組織（たとえば、腔４０の入口側皮膚４１）に侵入し、腔４０を通過して、標的動物（たとえば、腔４０の出口側皮膚４３）の向こう側に貫通すると、アーチェリー発射体位置特定設備は、アーチェリー発射体から切り離されてしまう場合がある。アーチェリー発射体位置特定設備は、細長い胴体２０を備えてよい。アーチェリー発射体位置特定設備は、アンテナ１２を含んでよい。アンテナ１２は、一端で細長い胴体２０に接続された細長いワイヤを備えてよい。アーチェリー発射体位置特定設備は、矢筈８を含んでよい。矢筈８は、テザー１６によって細長い胴体２０に接続されてよい。テザー１６は、細長い胴体２０の中央またはその近くに接続されてよい。細長い胴体２０の中央またはその近くにテザー１６を接続すると、腔４０から細長い胴体２０が時期尚早に取り外される可能性が低減する場合がある。アーチェリー発射体位置特定設備は、停止要素６を含んでよい。停止要素６は径方向突起を有してよい。
【００５４】
図１３は、一実施形態の一態様による、例示的なアーチェリー発射体位置特定設備１３００を示すブロック図である。アーチェリー発射体位置特定設備１３００は、送信機５０を備えてよい。送信機５０は温度センサ５２を備えてよい。送信機５０は処理ユニット５４を備えてよい。送信機５０は多電力デジタル増幅器５６を備えてよい。アーチェリー発射体位置特定設備１３００は、送信機５０と電気通信するアンテナ１２を備えてよい。アンテナ１２は、多電力デジタル増幅器５６と電気通信することができる。アーチェリー発射体位置特定設備１３００は、マイクロコントローラ６０を備えてよい。送信機５０は、マイクロコントローラ６０と通信することができる。アーチェリー発射体位置特定設備１３００は、マイクロコントローラ６０と通信するセンサ設備６００を備えてよい。センサ設備６００はマイクロコントローラ６０を備えてよい。センサ設備６００は加速度センサ６２を備えてよい。加速度センサ６２は、加速度情報を生成するように適合されてよい。センサ設備６００は、飛行状態を検出するように動作可能であってよい。マイクロコントローラ６０は、加速度情報に基づいて飛行状態を検出するように動作可能であってよい。マイクロコントローラ６０は、衝突を検出するように動作可能であってよい。マイクロコントローラ６０は、加速度情報に基づいて衝突を検出するように動作可能であってよい。マイクロコントローラ６０は、衝突が検出された後に運動情報を生成するように動作可能であってよい。運動情報は、加速度情報に基づく運動のバイナリ表現を備えてよい。アーチェリー発射体位置特定設備１３００は、エネルギー蓄積装置１４を備えてよい。エネルギー蓄積装置１４は、電力管理設備７０と電気通信することができる。電力管理設備７０はエネルギー蓄積モニタ７２を備えてよい。電力管理設備７０は電圧調整器７４を備えてよい。エネルギー蓄積装置１４は、マイクロコントローラ６０と電気通信することができる。エネルギー蓄積装置１４は、電力管理設備７０を介してマイクロコントローラ６０と電気通信することができる。センサ設備６００はエネルギー蓄積モニタ７２を備えてよい。エネルギー蓄積モニタ７２は、エネルギーステータス情報を生成するように適合されてよい。センサ設備６００は温度センサ５２を備えてよい。温度センサ５２は、温度情報を生成するように適合されてよい。送信機５０は、飛行状態が検出された後に少なくとも１つのデータ信号をブロードキャストするように動作可能であってよい。少なくとも１つのデータ信号は、センサ設備６００によって生成された情報を含んでよい。送信機５０は、少なくとも１つのデータ信号の一部として加速度情報を送信するように適合されてよい。加速度情報は、運動情報に関するバイナリデータを備えてよい。運動情報は加速度情報に基づいてよい。加速度情報は、加速度センサ６２によって生成された３つの軸上の加速度データを備えてよい。送信機５０は、少なくとも１つのデータ信号の一部としてエネルギーステータス情報を送信するように適合されてよい。送信機５０は、少なくとも１つのデータ信号の一部として温度情報を送信するように適合されてよい。
【００５５】
一実施形態によれば、エネルギー蓄積装置（たとえば、１４）は、連続する１２〜９６時間の範囲で送信機（たとえば、５０）に電力を供給するように適合されてよい。
【００５６】
一実施形態によれば、送信機（たとえば、５０）は、複数の周波数のうちの１つまたは複数で送信するように適合されてよい。複数の周波数は、１つまたは複数の周波数帯域の一部であってよい。複数の周波数および／または１つもしくは複数の周波数帯域は、特定の管轄区域および／または目的の用途の領域に固有であってよい。複数の周波数の中の各周波数は、信号識別子に基づいてよい。たとえば、例示的な管轄区域では、複数の周波数は４３４ＭＨｚおよび８６８ＭＨｚを備えてよい。指向性受信機（たとえば、３０）は、複数の周波数のうちの１つまたは複数で送信されたデータフレームを受信するように適合されてよい。複数の周波数のうちの１つまたは複数は、送信機（たとえば、５０）と指向性受信機（たとえば、３０）との間に最大１〜３マイルの距離を設けることに基づいてよい。
【００５７】
一実施形態によれば、少なくとも１つのデータ信号は暗号化されてよい。暗号化は、信号指定子（たとえば、２８）に基づいてよい。指向性受信機（たとえば、３０）は、信号指定子（たとえば、２８）の利用を通して少なくとも１つのデータ信号を解読するように適合されてよい。指向性受信機（たとえば、３０）は、少なくとも１つのデータ信号を解読する前に、細長い胴体（たとえば、２０）から信号指定子（たとえば、２８）を受信または捕捉する必要があり得る。
【００５８】
一実施形態によれば、少なくとも１つのデータ信号のうちの第１は、第１の電力レベルで送信されてよい。少なくとも１つのデータ信号のうちの第２は、第２の電力レベルで送信されてよい。第１の電力レベルは第２の電力レベルとは異なる。第１の電力レベルおよび第２の電力レベルは、多電力デジタル増幅器（たとえば、５６）の送信電力に対応してよい。
【００５９】
一実施形態によれば、複数のデータ信号の各々は信号コードで符号化されてよい。信号コードは、多電力デジタル増幅器（たとえば、５６）の送信電力レベルに基づいてよい。指向性受信機（たとえば、３０）は、複数のデータ信号を復号するように適合されてよい。指向性受信機（たとえば、３０）は、複数の信号コードでプログラムされてよい。指向性受信機（たとえば、３０）は、受信された電力レベルに基づいて復号するために、複数のデータ信号のうちの１つを選択するように適合されてよい。たとえば、複数のデータ信号のうちの第１のための高電力レベルが受信されると、指向性受信機（たとえば、３０）は、別のデータ信号を選択するように適合されてよい。たとえば、複数のデータ信号のうちの第２のための低電力レベルが受信されると、指向性受信機（たとえば、３０）は、第２のデータ信号を選択するように適合されてよい。指向性受信機（たとえば、３０）は、信号完全性（すなわち、信号および／または信号データの損失が最小限であるかまたはまったくない）を維持するのに十分高い受信電力で受信されたすべてのデータ信号のうちの最低電力で受信されたデータ信号を選択するように適合されてよい。
【００６０】
図１４は、一実施形態の一態様による、アーチェリー発射体位置特定設備の例示的なデータフレーム１４００を示すブロック図である。データフレーム１４００は、細長い胴体（たとえば、２０）の送信機（たとえば、５０）によって送信されてよい。データフレーム１４００はエネルギーステータス情報フィールド７６を備えてよい。エネルギーステータス情報フィールド７６はエネルギーステータス情報を備えてよい。データフレーム１４００は加速度情報フィールド６４を備えてよい。加速度情報フィールド６４は加速度情報を備えてよい。加速度情報フィールド６４は運動情報を備えてよい。データフレーム１４００は温度情報フィールド５８を備えてよい。温度情報フィールド５８は温度情報を備えてよい。データフレーム１４００は信号コードフィールド７８を備えてよい。信号コードフィールド７８は信号コードを備えてよい。信号コードは、データフレーム１４００を送信するために、多電力デジタル増幅器（たとえば、５６）によって利用される電力レベルに基づいてよい。データフレーム１４００は信号ＩＤフィールド６６を備えてよい。信号ＩＤフィールド６６は信号指定子を備えてよい。信号指定子は、信号指定子を備えるデータフレームを送信するように適合された特定の細長い胴体（たとえば、２０）に固有であってよい。
【００６１】
図１５は、一実施形態の一態様による、例示的なアーチェリー発射体位置特定設備の例示的な細長い胴体２０を概略的に示す。細長い胴体２０はＬＥＤ１８を備えてよい。細長い胴体２０はセンサ設備を備えてよい。細長い胴体２０は加速度センサ６２を備えてよい。センサ設備は加速度センサ６２を備えてよい。加速度センサ６２は、細長い胴体２０に関する加速度情報を生成するように適合されてよい。細長い胴体２０は、充電および／またはデバッグコネクタ３８を備えてよい。細長い胴体２０はマイクロコントローラ６０を備えてよい。細長い胴体２０はコンピュータ可読媒体４６を備えてよい。コンピュータ可読媒体４６は命令を備えてよい。細長い胴体２０は発振器６８を備えてよい。細長い胴体２０は送信機５０を備えてよい。送信機５０は温度センサ（たとえば、５２）を備えてよい。センサ設備は温度センサ（たとえば、５２）を備えてよい。温度センサ（たとえば、５２）は、細長い胴体２０に関する温度情報を生成するように適合されてよい。送信機５０は処理ユニット（たとえば、５４）を備えてよい。送信機５０は多電力デジタル増幅器（たとえば、５６）を備えてよい。細長い胴体２０はアンテナフィルタ４８を備えてよい。アンテナフィルタはアンテナ１２と電気通信することができる。細長い胴体２０は電源スイッチ４２を備えてよい。細長い胴体２０はエネルギー蓄積端子４４を備えてよい。細長い胴体２０は電力管理設備７０を備えてよい。電力管理設備７０は、エネルギー蓄積モニタ（たとえば、７２）を備えてよい。センサ設備はエネルギー蓄積モニタ（たとえば、７２）を備えてよい。エネルギー蓄積モニタ（たとえば、７２）は、エネルギーステータス情報を生成するように適合されてよい。エネルギーステータス情報は、エネルギー蓄積装置（たとえば、１４）に残っている電力の指示を備えてよい。電力管理設備７０は電圧調整器（たとえば、７４）を備えてよい。コンピュータ可読媒体４６は、加速度センサ６２、温度センサ（たとえば、５２）、エネルギー蓄積モニタ（たとえば、７２）、マイクロコントローラ６０、それらの組合せなどによって生成された情報を記憶するように適合されてよい。
【００６２】
図１６は、一実施形態の一態様による、例示的なアーチェリー発射体位置特定設備の例示的な細長い胴体１６００についての状態図である。細長い胴体１６００は、１４２で待機するように動作可能であってよい。１６０で充電器が接続されると、細長い胴体１６００は、１４０で充電するように動作可能であってよい。１６２で充電器が切り離されると、細長い胴体１６００は、１４２で待機するように動作可能であってよい。１６４で発射が検出されると、細長い胴体１６００は、１４４で飛行状態に入ることができる。１４４での飛行状態の後、細長い胴体１６００は、１６６で衝突準備状態に入るように動作可能であってよい。１６６で衝突準備ができた後、細長い胴体１６００は、１４６で待機状態に入るように動作可能であってよい。１６８で衝突が検出されると、細長い胴体１６００は、１４８でデータを読み取るように動作可能であってよい。１４８でデータが読み取られた後、細長い胴体１６００は、１５４でデータ準備状態に入るように動作可能であってよい。１５４でデータの準備ができると、細長い胴体１６００は、１５０でデータをブロードキャストするように動作可能であってよい。１５２でデータが送信されると、細長い胴体１６００は、１４６で待機状態に戻るように動作可能であってよい。
【００６３】
図１７は、一実施形態の一態様による、例示的なアーチェリー発射体位置特定設備の例示的な指向性受信機システム１７００を示す。指向性受信機システム１７００は指向性受信機３０を備えてよい。指向性受信機３０は、指向性アンテナ３２と電気通信することができる。指向性アンテナ３２は折り畳み可能であってよい。指向性アンテナ３２は、複数の指向性アンテナセクションのアセンブリを備えてよい。指向性受信機３０は、少なくとも１つのデータ信号を受信するように適合されてよい。指向性受信機３０は、細長い胴体（たとえば、２０）の位置を特定するためにユーザによって利用されてよい。指向性受信機３０は、リモートコンピューティングデバイス３６と通信するように適合されてよい。指向性受信機３０およびリモートコンピューティングデバイス３６は、ワイヤレスネットワーク３４を介して通信するように適合されてよい。ワイヤレスネットワーク３４の例には、Ｗｉ−Ｆｉ、ＷｉＭＡＸ、ＬＴＥ、Ｂｌｕｅｔｏｏｔｈ、Ｂｌｕｅｔｏｏｔｈ  ＬＥ、それらの組合せなどが含まれるが、それらに限定されない。
【００６４】
図１８は、一実施形態の様々な態様による、アーチェリー発射体位置特定設備の例示的な指向性受信機システム１８００を示すブロック図である。指向性受信機システム１８００は指向性受信機３０を備えてよい。指向性受信機３０はデコーダ１３０を備えてよい。デコーダ１３０は処理ユニット８４を備えてよい。デコーダ１３０は信号強度計８２を備えてよい。デコーダ１３０は、指向性アンテナ３２と電気通信することができる。指向性受信機３０はバッテリ９６を備えてよい。指向性受信機３０は電力管理設備９０を備えてよい。電力管理設備９０はバッテリモニタ９２を備えてよい。電力管理設備９０は電圧調整器９４を備えてよい。電力管理設備９０は、バッテリ９６と電気通信することができる。指向性受信機３０はマイクロコントローラ８０を備えてよい。マイクロコントローラ８０は、デコーダ１３０と通信することができる。マイクロコントローラ８０は、バッテリ９６と電気通信することができる。マイクロコントローラ８０は、電力管理設備９０と電気通信することができる。指向性受信機３０はワイヤレスモデム１３４を備えてよい。ワイヤレスモデム１３４は、ワイヤレスネットワーク３４を介して１つまたは複数のリモートデバイス（たとえば、３６）と通信するように適合されてよい。ワイヤレスモデム１３４は、マイクロコントローラ８０と通信することができる。指向性受信機３０は入力／出力インターフェース９８を備えてよい。入力／出力インターフェース９８は、マイクロコントローラ８０と電気通信することができる。指向性受信機３０はＧＰＳ受信機８６を備えてよい。ＧＰＳ受信機８６は、マイクロコントローラ８０と通信することができる。ＧＰＳ受信機８６は、指向性受信機３０の位置情報を通信するように適合されてよい。指向性受信機３０はデジタルコンパス８８を備えてよい。デジタルコンパス８８は、マイクロコントローラ８０と通信することができる。デジタルコンパス８８は、指向性アンテナ３２の方位角を推定するために利用されてよい。方向情報は、リモートコンピューティングデバイス３６に通信されてよい。方向情報は、指向性アンテナ３２の方位角を備えてよい。方向情報は、少なくとも１つのデータ信号の送信機（たとえば、５０）に対する推定方向を備えてよい。推定方向は、指向性アンテナ３２の方位角および／または少なくとも１つのデータ信号の受信信号強度に基づいてよい。指向性受信機３０はトリガ１８０を備えてよい。トリガ１８０は、マイクロコントローラ８０と通信することができる。トリガ１８０は、指向性受信機３０の１つまたは複数の構成要素を作動させるために利用されてよい。指向性受信機システム１８００はリモートコンピューティングデバイス３６を備えてよい。指向性受信機３０は、リモートコンピューティングデバイス３６と通信するように適合されてよい。指向性受信機３０は、リモートコンピューティングデバイス３６に位置情報を通信するように適合されてよい。リモートコンピューティングデバイス３６はワイヤレスモデム１３６を備えてよい。ワイヤレスモデム１３６は、ワイヤレスネットワーク３４を介して指向性受信機３０と通信するように適合されてよい。
【００６５】
図１９は、一実施形態の様々な態様による、アーチェリー発射体位置特定設備の例示的な指向性受信機システム１９００を示すブロック図である。指向性受信機システム１９００は指向性受信機３０を備えてよい。指向性受信機３０はデコーダ１３０を備えてよい。デコーダ１３０は処理ユニット８４を備えてよい。デコーダ１３０は信号強度計８２を備えてよい。デコーダ１３０は、指向性アンテナ３２と電気通信することができる。指向性受信機３０はバッテリ９６を備えてよい。指向性受信機３０は電力管理設備９０を備えてよい。電力管理設備９０はバッテリモニタ９２を備えてよい。電力管理設備９０は電圧調整器９４を備えてよい。電力管理設備９０は、バッテリ９６と電気通信することができる。指向性受信機３０はマイクロコントローラ８０を備えてよい。マイクロコントローラ８０は、デコーダ１３０と通信することができる。マイクロコントローラ８０は、バッテリ９６と電気通信することができる。マイクロコントローラ８０は、電力管理設備９０と電気通信することができる。指向性受信機３０はワイヤレスモデム１３４を備えてよい。ワイヤレスモデム１３４は、ワイヤレスネットワーク３４を介して１つまたは複数のリモートデバイス（たとえば、３６）と通信するように適合されてよい。ワイヤレスモデム１３４は、マイクロコントローラ８０と通信することができる。指向性受信機３０は入力／出力インターフェース９８を備えてよい。入力／出力インターフェース９８は、マイクロコントローラ８０と電気通信することができる。指向性受信機３０はトリガ１８０を備えてよい。トリガ１８０は、マイクロコントローラ８０と通信することができる。トリガ１８０は、指向性受信機３０の１つまたは複数の構成要素を作動させるために利用されてよい。指向性受信機システム１９００はリモートコンピューティングデバイス３６を備えてよい。指向性受信機３０は、リモートコンピューティングデバイス３６と通信するように適合されてよい。リモートコンピューティングデバイス３６はワイヤレスモデム１３６を備えてよい。ワイヤレスモデム１３６は、ワイヤレスネットワーク３４を介して指向性受信機３０と通信するように適合されてよい。リモートコンピューティングデバイス３６はＧＰＳ受信機１８６を備えてよい。ＧＰＳ受信機１８６は、ワイヤレスモデム１３６と通信することができる。リモートコンピューティングデバイス３６はデジタルコンパス１８８を備えてよい。デジタルコンパス１８８は、ワイヤレスモデム１３６と通信することができる。
【００６６】
図２０は、一実施形態の一態様による、指向性受信機の例示的なデータフレーム２０００を示すブロック図である。指向性受信機（たとえば、３０）は、１つまたは複数のリモートコンピューティングデバイス（たとえば、３６）に情報を通信するように適合されてよい。データフレーム２０００は、指向性受信機（たとえば、３０）のワイヤレスモデム（たとえば、１３４）により、１つまたは複数のリモートコンピューティングデバイス（たとえば、３６）に送信されてよい。データフレーム２０００はフレーム情報フィールド２１０を備えてよい。フレーム情報フィールド２１０はフレーム情報を備えてよい。フレーム情報は、細長い胴体（たとえば、２０）から受信されたデータフレーム（たとえば、１４００）に基づくフレーム完全性の指示を備えてよい。たとえば、フレーム情報は、データフレームおよび／またはデータフレームの一部の喪失を示すように構成されてよい。たとえば、フレーム情報は、破損したデータフレームを示すように構成されてよい。データフレーム２０００はエネルギーステータス情報フィールド２７６を備えてよい。エネルギーステータス情報フィールド２７６はエネルギーステータス情報を備えてよい。エネルギーステータス情報は、細長い胴体（たとえば、２０）から送信されたデータフレーム（たとえば、１４００）内で受信されてよい。データフレーム２０００は電力情報フィールド２２０を備えてよい。電力情報フィールド２２０は電力情報を備えてよい。電力情報は、細長い胴体（たとえば、２０）から受信されたデータフレーム（たとえば、１４００）の電力レベルの指示を備えてよい。電力レベルは、指向性受信機（たとえば、３０）の信号強度計（たとえば、８２）によって測定されてよい。電力レベルは、細長い胴体（たとえば、２０）までの距離に基づいてよい。電力レベルは、細長い胴体（たとえば、２０）と指向性アンテナ（たとえば、３２）との間の角度に基づいてよい。データフレーム２０００は信号コードフィールド２７８を備えてよい。信号コードフィールド２７８は信号コードを備えてよい。
信号コードは、細長い胴体（たとえば、２０）から送信されたデータフレーム（たとえば、１４００）内で受信されてよい。信号コードは、データフレーム（たとえば、１４００）を送信するために、細長い胴体（たとえば、２０）の多電力デジタル増幅器（たとえば、５６）によって利用される電力レベルに基づいてよい。データフレーム２０００は運動情報フィールド２６４を備えてよい。運動情報フィールド２６４は運動情報を備えてよい。運動情報は加速度情報を備えてよい。加速度情報は、細長い胴体（たとえば、２０）から送信されたデータフレーム（たとえば、１４００）内で受信されてよい。運動情報は、加速度情報に基づく細長い胴体（たとえば、２０）の運動のバイナリ表現を備えてよい。運動のバイナリ表現は、２つの状態：ゼロ加速度に基づくゼロの運動、および何らかの加速度に基づく何らかの運動を備えてよい。データフレーム２０００は温度情報フィールド２５８を備えてよい。温度情報フィールド２５８は温度情報を備えてよい。温度情報は、細長い胴体（たとえば、２０）から送信されたデータフレーム（たとえば、１４００）内で受信されてよい。データフレーム２０００は信号ＩＤフィールド２６６を備えてよい。信号ＩＤフィールド２６６は信号指定子を備えてよい。信号指定子は、細長い胴体（たとえば、２０）から送信された暗号化されたデータフレーム（たとえば、１４００）を解読するために必要とされてよい。
【００６７】
一実施形態によれば、指向性受信機（たとえば、３０）は、１つまたは複数のリモートコンピューティングデバイス（たとえば、３６）に情報を通信するように適合されてよい。情報は、少なくとも１つのデータフレーム（たとえば、２０００）の利用を通して通信されてよい。たとえば、第１のデータフレームは以下のデータを備えてよい。
００１  ＢＬ０６３  ＰＷ０４５  １Ｘ１  Ｍ０  ＴＡ＋２８．０  ＩＤ００９３００６Ａ４００Ｆ４４５５４Ｅ４５
最初のフィールド（００１）はフレーム情報（たとえば、２１０）を表すことができる。「００１」は、たとえば、良好なフレーム完全性を示すことができる。２番目のフィールド（ＢＬ０６３）はエネルギーステータス情報（たとえば、２７６）を表すことができる。「ＢＬ０６３」は、たとえば、６３％のバッテリ残量を示すことができる。３番目のフィールド（ＰＷ０４５）は電力情報（たとえば、２２０）を表すことができる。「ＰＷ０４５」は、たとえば、指向性受信機（たとえば、３０）によって測定された電力レベルを示すことができる。４番目のフィールド（１Ｘ１）は信号コードを表すことができる。「１Ｘ１」は、たとえば、第１の信号コードを示すことができる。５番目のフィールド（Ｍ０）は運動情報を表すことができる。「Ｍ０」は、たとえば、細長い胴体（たとえば、２０）におけるゼロの運動を示すことができる。６番目のフィールド（ＴＡ＋２８．０）は温度情報を表すことができる。「ＴＡ＋２８．０」は、たとえば、細長い胴体（たとえば、２０）における摂氏２８度の温度を示すことができる。７番目のフィールド（ＩＤ００９３００６Ａ４００Ｆ４４５５４Ｅ４５）は信号ＩＤを表すことができる。「ＩＤ００９３００６Ａ４００Ｆ４４５５４Ｅ４５」は、たとえば、信号指定子を示すことができる。
たとえば、第２のデータフレームは以下のデータを備えてよい。
００１  ＢＬ０６３  ＰＷ０２６  １Ｘ２  Ｍ０  ＴＡ＋２８．０  ＩＤ００９３００６Ａ４００Ｆ４４５５４Ｅ４５
この例では、３番目のフィールド（ＰＷ０２６）および４番目のフィールド（１Ｘ２）のみが第１のデータフレームと異なる。第２のデータフレームでは、「ＰＷ０２６」は、たとえば、第１のデータフレームからの「ＰＷ０４５」よりも低い電力レベルを示すことができる。第２のデータフレームでは、「１Ｘ２」は、たとえば、第２の信号コードを示すことができる。したがって、第１のデータフレームからのデータおよび第２のデータフレームからのデータは、第１の信号コードが第２の信号コードより高い電力レベルで細長い胴体（たとえば、２０）から送信されたことを示すことができる。これらの例は２つの異なる信号コードからの２つのデータフレームを示すが、当業者は、さらなる異なる信号コードを含むさらなるデータフレームが細長い胴体（たとえば、２０）によって異なる電力レベルで送信され、指向性受信機（たとえば、３０）によって受信されてよいことを認識するであろう。たとえば、４つのデータフレームが細長い胴体（たとえば、２０）によって連続して送信されてよく、４つのデータフレームの各々は、異なる信号コードを含み、異なる電力レベルで送信される。第１のデータフレームは、たとえば、最大電力で送信されてよい。第２のデータフレームは、たとえば、最大電力の５０パーセントで送信されてよい。第３のデータフレームは、たとえば、最大電力の２５パーセントで送信されてよい。第４のデータフレームは、たとえば、最大電力の５パーセントで送信されてよい。
【００６８】
一実施形態によれば、指向性受信機（たとえば、３０）は、複数の信号コードのうちの１つを含むデータフレームを選択するように適合されてよい。選択は電力情報に基づいてよい。たとえば、指向性受信機（たとえば、３０）は、良好なフレーム完全性が維持される限り、指向性受信機（たとえば、３０）によって測定された最低電力レベルで受信された信号コードに対応するデータフレームを選択するように適合されてよい。
【００６９】
図２１は、一実施形態の一態様による、例示的なアーチェリー発射体位置特定設備の例示的な指向性受信機２１００についての状態図である。１９８で電源投入するかまたはスイッチオンのイベントが発生すると、指向性受信機２１００は、１７０で待機するように動作可能であってよい。
１２０でトリガオンイベントが発生すると、指向性受信機２１００は、１７２でより大きいオン信号を送信するように動作可能であってよい。１２２で送信されたトリガオン信号を受信すると、指向性受信機２１００は、１７４でデータを受信するように動作可能であってよい。１２４でデータが受信されると、指向性受信機２１００は、１７６でセンサデータを更新するように動作可能であってよい。１２６でセンサの更新が完了すると、指向性受信機２１００は、１７８でデータをフォーマットするように動作可能であってよい。１２８でデータが準備されると、指向性受信機２１００は、１９０でデータを送信するように動作可能であってよい。１９２でデータが送信された後、指向性受信機２１００は、１７４でデータ受信状態に戻るように動作可能であってよい。１９４でトリガオフイベントが発生すると、指向性受信機２１００は、１１２でトリガオフ信号を送信するように動作可能であってよい。１９６で送信されたトリガオフ信号を受信すると、指向性受信機２１００は、１７０で待機するように動作可能であってよい。
【００７０】
一実施態様によれば、アーチェリー発射体位置特定設備は、細長い胴体を備えてもよい。細長い胴体は、アーチェリー発射体に接続するように適合された接続設備を含んでもよい。細長い胴体はマイクロコントローラを含んでもよい。細長い胴体は、マイクロコントローラと通信し、飛行状態を検出するように動作可能なセンサ設備を含んでもよい。細長い胴体は、マイクロコントローラと通信し、飛行状態が検出された後に少なくとも１つのデータ信号をブロードキャストするように動作可能な送信機を含んでもよい。少なくとも１つのデータ信号は、センサ設備によって生成された情報を含んでもよい。
【００７１】
一実施態様によれば、アーチェリー発射体位置特定設備は、指向性受信機を含んでよい。指向性受信機は、細長い胴体が指向性受信機でユーザによって位置特定され得るように、少なくとも１つのデータ信号を受信するように適合されてよい。
【００７２】
一実施態様によれば、細長い胴体は、空洞矢柄の後開口に取り外し可能に収容されてよい。
【００７３】
一実施態様によれば、アーチェリー発射体位置特定設備は、細長い胴体に接続され、径方向突起を有する停止要素を含んでよい。
【００７４】
一実施態様によれば、停止要素は、空洞矢柄の後端につながるように適合された円筒形胴体を含んでよい。停止要素は、空洞矢柄に取り外し可能に接続された矢筈の一部分を収容するように適合されたボアを画定することができる。
【００７５】
一実施態様によれば、空洞矢柄は軸半径を有してよい。径方向突起は、軸半径よりも大きい半径まで延在することができ、その結果、径方向突起は、空洞矢柄が標的動物の向こう側に貫通することができたときでも、細長い胴体が向こう側に貫通するのを防ぐために、標的動物の組織に接するように適合される。
【００７６】
一実施態様によれば、空洞矢柄は矢羽根を有してよい。停止要素は、空洞矢柄の後端につながれたときに実質的に矢羽根と整列するように適合された複数の径方向突起を有してよい。
【００７７】
一実施態様によれば、径方向突起は、細長い胴体によって画定された軸に平行な平面を有する平面フィン要素であってよい。
【００７８】
一実施態様によれば、停止要素は、テザーによって細長い胴体に接続されてよい。
【００７９】
一実施態様によれば、アーチェリー発射体位置特定設備は、テザーによって細長い胴体に接続された矢筈を含んでよい。
【００８０】
一実施態様によれば、アーチェリー発射体位置特定設備は、送信機と電気通信するアンテナを含んでよい。
【００８１】
一実施態様によれば、アンテナは、一端で細長い胴体に接続された細長いワイヤであってよい。
【００８２】
一実施態様によれば、アンテナは、細長い胴体に接続されていない自由端を有してよい。
【００８３】
一実施態様によれば、センサ設備は、細長い胴体に関する温度情報を生成するように適合された温度センサを含んでよい。
【００８４】
一実施態様によれば、送信機は、少なくとも１つのデータ信号の一部として温度情報を送信するように適合されてよい。
【００８５】
一実施態様によれば、アーチェリー発射体位置特定設備は、マイクロコントローラおよびセンサ設備と電気通信するエネルギー蓄積装置を含んでよい。センサ設備は、エネルギーステータス情報を生成するように動作可能であってよい。
【００８６】
一実施態様によれば、送信機は、少なくとも１つのデータ信号の一部としてエネルギーステータス情報を送信するように適合されてよい。
【００８７】
一実施態様によれば、センサ設備は、運動情報を生成するように適合された加速度センサを含んでよい。
【００８８】
一実施態様によれば、送信機は、少なくとも１つのデータ信号の一部として運動情報を送信するように適合されてよい。
【００８９】
一実施態様によれば、細長い胴体は、細長い胴体が限られた力で空洞矢柄から取り外し可能であるように、空洞矢柄にスライド式に収容されてよい。
【００９０】
一実施態様によれば、停止要素は、滑合によって空洞矢柄に接続されてよい。
【００９１】
一実施態様によれば、細長い胴体は信号指定子を含んでよい。
【００９２】
一実施態様によれば、少なくとも１つのデータ信号は、信号指定子に基づいて暗号化されてよい。
【００９３】
一実施態様によれば、指向性受信機は、信号指定子の利用を通して少なくとも１つのデータ信号を解読するようにさらに適合されてよい。
【００９４】
一実施態様によれば、指向性受信機は、以下の位置情報、方向情報、温度情報、エネルギーステータス情報、および運動情報のうちの少なくとも１つをリモートコンピューティングデバイスに通信するようにさらに適合されてよい。
【００９５】
一実施態様によれば、少なくとも１つのデータ信号の各々は、送信電力レベルに基づいて符号化されてよい。
【００９６】
一実施態様によれば、指向性受信機は、少なくとも１つのデータ信号を復号するようにさらに適合されてよい。
【００９７】
一実施態様によれば、少なくとも１つのデータ信号のうちの第１は第１の電力レベルで送信されてよく、少なくとも１つのデータ信号のうちの第２は第２の電力レベルで送信されてよい。第１の電力レベルは第２の電力レベルとは異なる場合がある。
【００９８】
一実施態様によれば、少なくとも１つのデータ信号のうちの第１は、第１の信号コードで符号化されてよい。少なくとも１つのデータ信号のうちの第２は、第２の信号コードで符号化されてよい。第１の信号コードは第２の信号コードとは異なる場合がある。
【００９９】
様々な実施形態が提示されている。当然、これらの実施形態の各々は、提示された他の実施形態からの特徴を含んでよく、具体的に記載されていない実施形態は、本明細書に記載された様々な特徴を含んでよい。
【０１００】
当業者は、図に示され、図に関して記載された構成要素がほんの一例として提供されることを諒解されよう。多くの他の構成が可能である。したがって、本開示の実施形態は、いかなる特定の構成に限定されるとも解釈されるべきではない。本開示は特定の例において単一の例示的な実施形態を記載することができるが、本開示の例示的な実施形態から逸脱することなく、設備および構成要素の他の構成、形状、および配置があってよいことが諒解されよう。当業者は、当技術分野で知られている様々なアーチェリーの矢柄、ボルト、ブロードヘッド、矢先、弓、石弓、およびそれらの組合せに対する本開示の実施形態の適用性を認識されよう。当業者は、本開示の実施形態が、１つの材料もしくは複数の材料を備える、組立て、圧延、プリント加工、押出、成形、それらの組合せが行われた部品、および／または同様の部品を備えてよいことを認識することができる。当業者は、図１〜図２１に図示され、かつそれらに関して記載された部品および要素がほんの一例として提供されることを諒解されよう。多くの他のアーチェリー発射体、弓、石弓、アンテナ、マイクロチップ、ならびに様々なアーチェリーおよび電気部品の構成が可能である。したがって、本開示の実施形態は、任意の特定のアーチェリー発射体、弓、石弓、またはアーチェリー部品に限定されると解釈されるべきではない。さらに、本開示は、様々な実施形態の観点から上述されているが、それらに限定されないことが認識されるべきである。上述された本開示の様々な特徴、態様、および／または構成要素は、個別または一緒に使用されてよい。したがって、以下に記載される特許請求の範囲は、本明細書に開示された実施形態の全容を考慮して解釈されるべきである。
【０１０１】
本明細書における、「１つの（定冠詞ａおよびａｎ）」および類似の語句は、「少なくとも１つの」および「１つまたは複数の」として解釈されるものとする。「１つの（ａ、ａｎおよびｏｎｅ）」という言及は、「唯一の」として解釈されるべきではない。本開示における「一」実施形態の言及は、必ずしも同じ実施形態を指すものではない。
【０１０２】
さらに、これまでに提示した多くの特徴は、「してもよい」の使用または括弧の使用によって任意選択であるものとして記述されている。簡潔さおよび読みやすさのために、本開示は、任意選択である特徴セットから選択することによって達成され得るあらゆる入れ替えを明示的に記載したものではない。しかしながら、本開示は、このような全ての入れ替えを明示的に開示するものとして解釈されるべきである。例えば、３つの任意選択的特徴を有するものとして記述されている設備は、７つの異なる方法で、すなわち、３つの可能な特徴のうちの１つだけを用いる方法、３つの可能な特徴のうちの任意の２つを用いる方法、または３つの可能な特徴のうちの３つ全てを用いる方法、で具現されてもよい。
【０１０３】
さらに、本開示の要約の目的は、特許庁および公衆、概して、かつ具体的には、特許または法律用語または表現法に精通していない当該技術分野の科学者、技術者および実行者が、一見して、本出願の技術的開示の性質および本質を迅速に判断できるようにすることにある。開示の要約は、決して発明の範囲を限定するためのものではない。
【０１０４】
最後に、「のための手段」または「のためのステップ」という表現言語を含むクレームのみが米国特許法１１２項の下で解釈されることが申請者の意図である。「のための手段」または「のためのステップ」という語句を明示的に含まないクレームは、米国特許法１１２項の下では解釈されない。
【図１】
2021512273.tif 000003
【図２】
2021512273.tif 000004
【図３】
2021512273.tif 000005
【図４】
2021512273.tif 000006
【図５】
2021512273.tif 000007
【図６】
2021512273.tif 000008
【図７】
2021512273.tif 000009
【図８】
2021512273.tif 000010
【図９】
2021512273.tif 000011
【図１０】
2021512273.tif 000012
【図１１】
2021512273.tif 000013
【図１２】
2021512273.tif 000014
【図１３】
2021512273.tif 000015
【図１４】
2021512273.tif 000016
【図１５】
2021512273.tif 000017
【図１６】
2021512273.tif 000018
【図１７】
2021512273.tif 000019
【図１８】
2021512273.tif 000020
【図１９】
2021512273.tif 000021
【図２０】
2021512273.tif 000022
【図２１】
2021512273.tif 000023
【国際調査報告】
2021512273.tif 000024
2021512273.tif 000025
2021512273.tif 000026
2021512273.tif 000027
2021512273.tif 000028